(57)【要約】【課題】従来、ユーザデータ領域内の一部をユーザＩＤ記録領域として扱うことで、リムーバブルメディアの所有者を識別していた。しかし、異なるファイルシステムで管理されるホスト機器ではユーザＩＤ情報を認識できず、所有者を識別することができなかった。さらに、ユーザデータ領域をすべてデータ領域として扱うホスト機器では、そのユーザＩＤ記録領域を改ざんすることが可能であった。【解決手段】ユーザデータ領域とは異なるユーザＩＤ記録領域と、この記録領域へのアクセス手段はユーザデータ領域とは別のアクセス手段でありあるユーザが書き込んだユーザＩＤ情報を特定ユーザ以外は書き換えられず、書き込まれたユーザＩＤ情報はすべてのユーザで読み出すことが可能なアクセス手段とをメモリカードに備え、ホスト機器においてはアクセス手段を用いてユーザＩＤ情報を取得して所有者を識別する。【選択図】  図１
2005352726.tif 000002
【特許請求の範囲】
【請求項１】
コマンド及びデータの通信をホスト機器と行う外部インターフェース手段と、
前記外部インターフェース手段を介して転送されたデータを格納するメモリと、
前記外部インターフェース手段を介して転送されたコマンド及びデータを解析し、前記メモリにデータをリード／ライトするコマンド処理手段とを備え、
前記メモリのメモリマップは、データの種類によって任意のユーザがリード／ライトを行うデータ領域Aと、任意のユーザがリードすると共に照合によって特定されるユーザ（Ｘ）がライトするデータ領域Bと、カード内部でのみリードすると共に前記ユーザ（Ｘ）がライトするデータ領域Cとの３個のデータ領域を有し、
前記コマンド処理手段は、前記外部インターフェース手段を介して通信されたコマンドを解析して、アクセスするデータ領域を前記データ領域A乃至Cの中から決定する領域判定手段と、
前記データ領域Ｂ及びCに書き込みを行う場合は、前記コマンドに続いて入力されるデータの一部と前記データ領域Cから読み出したデータとの照合により当該するユーザ（Ｘ）にライト許可を行う書き込み保護手段と、
前記データ領域A乃至Cのメモリにリード／ライトを行うメモリアクセス手段とを備えたるメモリカード。
【請求項２】
前記データ領域Ａ及びＢが割り当てられる前記メモリは、コネクタで接続されておりメモリカードから着脱可能なメモリデバイスによって構成され、
前記データ領域Ｃが割り当てられる前記メモリは、メモリカードから着脱不可能な形態で構成される請求項１記載のメモリカード。
【請求項３】
任意のユーザがリードすると共に所定の条件を満たすユーザ（Ｙ）がライトを行うデータ領域Dと、前記ユーザ（Ｙ）を特定するデータがあらかじめ記録されているデータ領域Ｅとをメモリマップにさらに含み、
前記メモリマップは５個のデータ領域に分割され、
前記データ領域Dに書き込みを行う場合は、前記コマンドに続いて入力されるデータの一部と前記データ領域Ｅから読み出したデータとの照合により、当該する前記ユーザ（Ｙ）にライト許可を行う書き込み保護手段と、
前記データ領域A乃至Eのメモリにリード／ライトを行うメモリアクセス手段とを備えた請求項１または請求項２記載のメモリカード。
【請求項４】
外部インターフェース部を介して前記データ領域Ｂ乃至Ｄに転送されるデータ部は、実データ部と照合データ部とを含み、
前記データ領域B及びCへの書き込みを行う場合は、前記照合データ部へ前記ユーザ（Ｘ）を特定するデータの設定を必要とし、前記照合データと前記データ領域Cに記録されている被照合データとの比較判定を行い、前記被照合データは、前記データ領域Cへの書き込みにおいて、前記実データ部を前記被照合データに置き換えることによって更新される請求項３記載のメモリカード。
【請求項５】
前記データ領域Ａ乃至Dへのアクセスは、前記外部インターフェース手段を介して入力されるコマンドと、前記コマンド後に所定のワード数（Ｎワード：Ｎは自然数）またはＮワードの整数倍のデータが連続して転送され、前記データ領域Ｂ乃至Ｄへアクセスする場合の有効ワード数はＮワード以下で、かつ有効位置は予め定められた位置である請求項３または４記載のメモリカード。
【請求項６】
前記データ領域Ｄ及びＥを構成しているメモリは着脱不可能な実装形態であり、
前記データ領域C乃至Ｅに記録されているデータの書き換えは、前記データを構成している各項目が独立して更新できるようなメモリマップを有している請求項３乃至５に記載のメモリカード
【請求項７】
前記メモリカードを使用するメモリカード装置であって、前記データ領域Ｂをユーザが自由に固有データを記録する領域として使用し、前記データ領域Ｂから前記固有データを読み出して表示する手段を備え、前記表示によって前記メモリカードのユーザを識別するメモリカード装置。
【発明の詳細な説明】
【技術分野】
【０００１】
この発明は、制御部を内蔵し、撮影された映像やデータなどを記録・再生するメモリカードに関する。
【背景技術】
【０００２】
従来、メモリカードはこれまでユーザを識別するという目的よりも、ユーザがそのメモリカードを使用する上で便利な情報を記録するという方法を提供していた。しかし、カメラやカムコーダなどで撮影した映像やデータをメモリカードに記録するシステムにおいて、メモリカードは非常に持ち出しやすく、長時間の撮影では複数枚を必要とするなどで管理が煩雑になりやすい。オリンピックなど業務用撮影で記録するような用途では、複数枚を扱う上、同業他社が入り乱れての撮影となる場合が多い。このような状況において、せっかく撮影したメモリカードがどこかにまぎれてしまった場合、製造番号で追跡するといった手段はあるものの、自己の所有であることを確認する作業が困難となってしまう。したがって、所有者、もしくは使用者を簡単に識別できることがユーザから求められるようになった。
【０００３】
このような背景の中、次に従来の技術について図面を参照しながら説明する。
【０００４】
図２において、従来のメモリカード（２００）は、ホスト機器と通信を確立するＡＴＡ準拠の外部インターフェース（２１０）と、その外部インターフェースを介して入力されるコマンドを解析して各処理を行う制御部（２２０）と、ユーザデータを記録するメモリ（２３０）と、製造情報などを記録するフラッシュメモリ（２４０）で構成される。メモリ（２３０）は、ＳＤカード（２３１）の４枚で構成され、制御部（２２０）によって論理的に１つのメモリ空間として扱われる。また、フラッシュメモリ（２４０）には製造情報を記録するブロック（２４１）がある。
【０００５】
次に、従来のホスト機器の構成について説明する。
【０００６】
図２において、従来のホスト機器（２５０）は、メモリカードへアクセスするドライバ部（２６０）と、ホスト機器の機能を実現するアプリケーション部（２７０）と、そのアプリケーションからの情報を表示する表示装置（２８０）で構成され、前述のアプリケーション部（２７０）は、メモリカードとのデータ通信を制御するデータ制御部（２７１）と、ユーザを識別する情報であるユーザＩＤをデータ制御部（２７１）によってリード／ライトし、リードしたユーザＩＤを表示するユーザＩＤ制御部（２７４）と、カード製造番号などのカード情報をリードして表示するカード情報制御部（２７５）とで構成される。そして、ホスト機器はメモリ空間をＦＡＴなどのファイルシステムで管理しており、そのシステムに準拠したデータアクセスを実現するデータ制御部（２７１）は、データ管理アクセス部（２７２）とデータアクセス部（２７３）で構成される。
【０００７】
この構成において、ユーザＩＤのデータ領域は、次に説明する手段によってマッピングされている。
まず、従来のホスト機器は、ＦＡＴなどのファイルシステムで管理されるメモリ空間にユーザＩＤを記憶する領域を仮想的に生成する。つまり、ユーザが通常のリード／ライトする領域ａと、ユーザIDを記録する領域ｂと、ファイルシステムに関する領域ｃとにメモリマップを分割して使用する。パーティション分割などがこれにあたる。（たとえば、特許文献１参照。）
そして、データ領域ａ及び領域ｂへは、データ制御部のデータアクセス部がドライバ部を介して、外部インターフェース（２１０）が提供するコマンドでアクセスする。同様に、データ領域ｃへは、データ制御部のデータ管理アクセス部がアクセスする。
【０００８】
前述のアクセスコマンドは、
ＲＥＡＤ  ＭＵＬＴＩＰＬＥ、ＲＥＡＤ  ＤＭＡ、ＲＥＡＤ  ＳＥＣＴＯＲ（Ｓ）、ＷＲＩＴＥ  ＭＵＬＴＩＰＬＥ、ＷＲＩＴＥ  ＤＭＡ、ＷＲＩＴＥ  ＳＥＣＴＯＲ（Ｓ）であり、
このコマンドによるアクセスは、外部インターフェースを介してのコマンド入力と、そのコマンド入力後に続くデータ転送で構成される。
【０００９】
以上のようにホスト機器側でデータ領域のメモリマップ解釈を行い、ユーザＩＤ制御部（２７４）がデータ制御部（２７１）を介してユーザＩＤデータを格納している位置にリード／ライトする。そして、リードしたユーザＩＤデータを表示装置（２８０）に出力することで所有者を識別することを可能とする。
また、従来のホスト機器は、ユーザが自由にリード／ライトできるデータ領域をホスト機器の管理で提供する。そして、その領域をユーザＩＤデータの記録領域とし、そのデータをリードして表示することで所有者を識別する方法を備える。
【特許文献１】特開２０００−２３５７７４号公報（図１０）
【発明の開示】
【発明が解決しようとする課題】
【００１０】
これら従来の技術では、ユーザデータ領域内の一部にユーザが自由に使用できるデータ領域を構成し、そのメモリマップ解釈によって管理されるホスト機器が、その領域にユーザを識別できる情報であるユーザＩＤを記録することでリムーバブルメディアの所有者を識別していた。しかし、異なるファイルシステムによって管理されるホスト機器では、メモリマップの解釈に互換性がなくなり、ユーザＩＤ記録領域を認識できず、所有者を識別することができなかった。さらに、ユーザデータ領域をすべて通常のデータ領域として扱うホスト機器では、単なるリード／ライトでユーザＩＤデータを簡単に書き換えることができ、その所有者を改ざんできるという課題を有していた。
【００１１】
本発明は、上述の課題を解決するものであり、ファイルシステムに関係なく、ユーザＩＤ記録領域を認識でき、さらに任意のユーザによるユーザＩＤデータの書き換えをできなくするメモリカードを提供することを目的とする。
【課題を解決するための手段】
【００１２】
上述の課題を解決するために、本発明のメモリカードは
、
ホスト機器とコマンド及びデータ転送による通信を行う外部インターフェースと、このインターフェースを介して転送されたデータを格納するメモリと、外部インターフェースを介して通信されるコマンド及びデータを解析してメモリにデータをリード／ライトするコマンド処理手段を備え、メモリ上に、任意のユーザがリード／ライトする通常のデータ領域（Ａ）と、任意のユーザが自由にリードできるが、照合によって特定されるユーザにしかライトできないユーザＩＤ記録領域（Ｂ）と、メモリカード内部でのみ読み出され、照合によって特定されるユーザにしかライトできない領域であるユーザコード記録領域（Ｃ）を備えた構成としたものである。
【００１３】
また、前述のコマンド処理手段は、外部インターフェースを介して通信されるコマンドを解析してアクセスする領域を決定する領域判定手段と、
ユーザＩＤ記録領域（Ｂ）とユーザコード記録領域（Ｃ）のライトを行う場合にコマンドに続いて入力されるデータの一部と、ユーザコード記録領域（Ｃ）から読み出したコードとの照合を行い、当該ユーザであることが照合された際にライト許可を行う書き込み保護手段と、決定された領域にリード／ライトするメモリアクセス手段とを備えた構成としたものである。
【００１４】
また、通常のデータ領域（Ａ）とユーザＩＤ領域（Ｂ）をコネクタで接続される着脱可能なメモリデバイスに実装し、ユーザコード領域（Ｃ）を半田付けされたメモリデバイスに実装した構成としたものである。
【発明の効果】
【００１５】
本発明によれば、任意のユーザがリードでき、照合によって特定されたユーザのみがライトできる領域にユーザＩＤ記憶領域を構成し、その照合に使用されるユーザコードはメモリカード内部でのみ読み出され、照合によって特定されたユーザのみがライトできる領域に構成する。そして、そのユーザコードを使用した照合手段と各領域へのアクセス手段を設けることにより、特定ユーザ以外によるユーザＩＤデータの書き換えをできなくすることができる。
【００１６】
また、ユーザコード記録領域を着脱不可能なメモリデバイスに設けることにより、ユーザＩＤの書き換えにおいて被照合データとして用いられるユーザコードの流出を簡単に防ぎ、ユーザＩＤ記録領域をさらに保護することができる。
【発明を実施するための最良の形態】
【００１７】
以下、本発明の実施の形態を、図面を参照しながら説明する。
（実施の形態）
まず、本実施の形態であるメモリカードの構成について説明する。
【００１８】
図１において、１００は本発明を構成するメモリカードである。メモリカード（１００）は、ホスト機器と通信を確立するＡＴＡ準拠の外部インターフェース（１１０）と、その外部インターフェースを介して入力されるコマンドを解析して各処理を行う制御部（１２０）と、ユーザデータを記録するメモリ（１３０）と、製造情報などを記録するフラッシュメモリ（１４０）で構成される。メモリ（１３０）は、コネクタ形状で接続され、物理的に着脱可能なＳＤカード（１３１）の４枚で構成され、制御部（１２０）によって論理的に１つのメモリ空間として扱われる。また、フラッシュメモリ（１４０）には製造情報を記録するブロック（１４１）と、ユーザを特定するコードを記録するブロック（１４２）がある。このフラッシュメモリ（１４０）はＳＤカード（１３１）とは異なり、着脱不可能なメモリデバイスである。制御部（１２０）は、製造者を特定するコードを記録する製造元コード記憶部（１２５）と、外部インターフェースを介して入力されるコマンドを解析するコマンド解析部（１２１）と、入力されたコマンドからアクセスするデータ領域を決定する領域判定部（１２２）と、製造元コード、もしくはユーザコードを被照合データとし、外部インターフェースを介して入力されるデータに含まれるコードとの照合を行う書き込み保護部（１２３）と、領域判定部（１２２）で決められた領域にリード／ライトを行うアクセス制御部（１２４）で構成される。
【００１９】
次に、本発明に関わるホスト機器の構成について説明する。
【００２０】
図１において、１５０は本発明に関わるホスト機器であり、メモリカード（１００）へアクセスするドライバ部（１６０）と、ホスト機器の機能を実現するアプリケーション部（１７０）と、そのアプリケーションからの情報を表示する表示装置（１８０）で構成され、前述のアプリケーン部（１７０）は、メモリカード（１００）とのデータ通信を制御するデータ制御部（１７１）と、ユーザを識別する情報であるユーザＩＤをメモリカードからリード／ライトし、リードしたユーザＩＤを表示するユーザＩＤ制御部（１７４）と、カード製造番号などのカード情報をメモリカードからリードして表示するカード情報制御部（１７５）と、ユーザを特定するユーザコードをメモリカードにライトするユーザコード制御部（１７６）で構成される。そして、ホスト機器はメモリ空間をＦＡＴなどのファイルシステムで管理しており、そのシステムに準拠したデータアクセスを実現するデータ制御部（１７１）は、データ管理アクセス部（１７２）とデータアクセス部（１７３）で構成される。
【００２１】
ここで、本メモリカード（１００）に構成する５つのデータ領域について以下に説明する。
通常のデータ領域（Ａ）は、任意のユーザがリード／ライトを行う。
ユーザＩＤ記憶領域（Ｂ）は、任意のユーザがリードし、照合によって特定されるユーザ（Ｘ）がライトする。
ユーザコード記憶領域（Ｃ）は、メモリカード内部でのみ読み出し、照合によって特定されるユーザ（Ｘ）がライトする。
製造情報記憶領域（Ｄ）は、任意のユーザがリードし、製造者（Ｙ）がライトする。
製造元コード記憶領域（Ｅ）は、メモリカード内部にあらかじめ記録されており、メモリカード内部でのみ読み出される。
それぞれのメモリマッピングは以下の通りである。
データ領域（Ａ）及び（Ｂ）はメモリ（１３０）に配置され、ユーザコード記憶領域（Ｃ）はユーザコード記憶部（１４２）に配置され、製造情報記憶領域（Ｄ）は製造情報記憶部（１４１）に配置される。
ユーザＩＤはユーザを識別する情報で、たとえば、「Ｐａｎａｓｏｎｉｃ Ａ１」などを示す。
【００２２】
ユーザＩＤ記憶領域（Ｂ）の配置の詳細について、図３を用いて説明する。
図３において、メモリカードはＮセクタ領域のメモリを持ち、１セクタのバイト数は任意に決められる。ここでは、５１２バイトとして説明する。このＮセクタには、０から（Ｎ−１）の符号が付加されている。このメモリにおいて、（Ｎ−１）の符号を持つセクタをユーザＩＤ記憶領域とし、通常のデータ領域は残りの０から（Ｎ−２）の符号が付加された領域とする。したがって、認識されるメモリカード容量は（Ｎ−１）セクタとする。このように、ユーザＩＤ記憶領域をユーザデータ領域とは異なる領域として設定する。
【００２３】
従来の技術でも記述した通常のリード／ライトコマンドは、いずれも、指定するセクタから指定するセクタ数分のアクセスを行うコマンドである。このコマンドを解析するコマンド解析部は、指定されたセクタ領域がメモリカード容量を超えていないことを監視する。したがって、使用可能なメモリカード容量を（Ｎ−１）セクタとすることによって、（Ｎ−１）の符号を持つセクタへの通常アクセスを禁止する。
【００２４】
続いて、データ領域（Ｂ）、（Ｃ）、（Ｄ）へのアクセス手段について動作説明する。
データ領域（Ｂ）、（Ｃ）へのアクセスは、リード／ライトコマンドとは異なるベンダコマンドで実現され、外部インターフェースを介して入力されるコマンドと、その後に続く１セクタのデータ転送によって構成される。ユーザＩＤ、ユーザコード、製造情報、製造元コードの４つの情報は１セクタ以下のデータである。
【００２５】
ユーザＩＤ記憶領域（Ｂ）のリードは、外部インターフェースを介して入力されるデータ領域Ｂへのリードコマンドを解析し、アクセスするデータ領域をメモリの（Ｎ−１）セクタに決定し、１セクタのデータ転送を行う。
【００２６】
ユーザＩＤ記憶領域（Ｂ）のライトは、外部インターフェースを介して入力されるデータ領域Ｂへのライトコマンドを解析し、続いて転送される１セクタのデータに含まれるコードと、ユーザコード記憶領域（Ｃ）から読み出したユーザコードを被照合データとして判定を行い、特定ユーザであることが確定した場合にのみ、照合コードを除いた入力データをユーザＩＤ記憶領域（Ｂ）へ書き込む。
【００２７】
ユーザコード記憶領域（Ｃ）へのリードは、外部インターフェース及びコマンド解析部で禁止される。
【００２８】
ユーザコード記憶領域（Ｃ）へのライトは、外部インターフェースを介して入力されるデータ領域Ｃへのライトコマンドを解析し、続いて転送される１セクタのデータに含まれるコードと、ユーザコード記憶領域（Ｃ）から読み出したユーザコードを被照合データとして判定を行い、特定ユーザであることが確定した場合にのみ、照合コードを除いた入力データでユーザコード記憶領域（Ｃ）を書き換える。ユーザコード記憶領域（Ｃ）へのライトは、入力されるデータが被照合データとなる。
【００２９】
製造情報記憶領域（Ｄ）のリードは、外部インターフェースを介して入力されるデータ領域Ｄへのリードコマンドを解析し、アクセスするデータ領域を製造情報記憶領域（Ｄ）に決定し、１セクタのデータ転送を行う。
【００３０】
製造情報記憶領域（Ｄ）のライトは、外部インターフェースを介して入力されるデータ領域Ｄへのライトコマンドを解析し、続いて転送される１セクタのデータに含まれるコードと、製造元コード記憶領域（Ｅ）から読み出した製造者コードを被照合データとして判定を行い、製造者であることが確定した場合にのみ、照合コードを除いた入力データを製造情報記憶領域（Ｄ）に書き込む。
【００３１】
ここまでで説明したデータ領域と各データ領域へのアクセス手段によって、特定のユーザのみがライトでき、どんなユーザでも読み出すことができる領域を提供する。そして、
この領域を上述したホスト機器におけるユーザＩＤ制御部（１７４）がユーザＩＤを記録する領域として使用し、その情報をリードして表示することによって所有者を識別することが可能となる。
【００３２】
上述の書き込み保護判定について、図４を参照しながら説明する。
【００３３】
ライトする際に入力されるデータは、照合部と実データ部で構成されるデータ構造を持つ。照合部は、ユーザを特定するユーザコードを格納するデータ部であり、実データ部は、書き込む実データを格納するデータ部である。
【００３４】
ユーザ（Ｘ）を特定するコードであるユーザコードはＮバイトで構成され、製造者（Ｙ）を特定する製造元コードはその２倍の２Ｎバイトで構成される。
従って、照合部は２Ｎバイトであり、ユーザコード記憶領域（Ｃ）をライトする場合の実データ部はＮバイトとなる。
ユーザＩＤ記憶領域（Ｂ）及びユーザコード記憶領域（Ｃ）をライトする場合、照合部にＮバイトのユーザコードを２度繰り返して設定して、書き込む実データを実データ部に設定する。
製造情報記憶領域（Ｄ）をライトする場合、照合部に２Ｎバイトの製造元コードを設定して、書き込む実データを実データ部に設定する。
書き込み保護の照合は、ユーザＩＤ記憶領域（Ｂ）及びユーザコード記憶領域（Ｃ）へのライトの場合、ユーザコード記憶領域（Ｃ）に登録されているユーザコードと照合データとによるＮバイトの二回一致比較であり、製造情報記憶領域（Ｄ）へのライトの場合は、製造元コード記憶領域（Ｅ）に登録されている製造元コードと照合データとによる２Ｎバイトの比較一致である。
【００３５】
以上のようなデータ構造を使用することで、データ領域（Ｂ）、（Ｃ）及び（Ｄ）のライト時の入力データ構造及びアクセス体系を同様にして、ユーザ（Ｘ）と製造者（Ｙ）を独立して保護することを可能とし、ユーザ（Ｘ）による誤った操作での製造情報記憶領域（Ｄ）の書き換えを防ぐことを可能とする。
【００３６】
また、メモリカードの物理的構成は図５に示す構成である。
【００３７】
ＰＣＭＣＩＡ形状のＰＣカードであるメモリカード（５００）は、メモリカード（５００）を制御するＬＳＩ（５１０）と、フラッシュメモリ（５２０）と、ＳＤカードとの接続を実現するコネクタ（５３０）の４つと、このコネクタに挿入されるＳＤカード（５４０）の４枚と、ＰＣスロットとの接続を実現するＰＣＭＣＩＡ形状のコネクタ（５５０）で構成される。
【００３８】
４枚のＳＤカード（５４０）は、４つのコネクタに挿入されて内封されており、簡単な着脱が可能である。一方、ＬＳＩ（５１０）とフラッシュメモリ（５２０）は、半田付けによってメモリカード内に内封されており、着脱できない形態である。
【００３９】
以上の物理的な構成において、ユーザを特定するユーザコード領域を着脱不可能なフラッシュメモリに配置する。これによって、ユーザコードの流出を簡単に防ぎ、ユーザＩＤを記録する領域の保護性を高くすることができる。
【００４０】
前述のフラッシュメモリ（５２０）は、Ｍブロック（１ブロック：ｍバイト単位）で構成される。このフラッシュメモリへの書き込みはメモリ消去をしてから書き込みを実行しなければならない。そのため、同一ブロックにユーザコード記憶領域（Ｃ）と製造情報記憶領域（Ｄ）とを配置した場合、ユーザコード記憶領域（Ｃ）の書き込み最中に停電などによって書き込み異常が発生すると、製造情報記憶領域（Ｄ）のデータ破壊を引き起こしてしまう。したがって、フラッシュメモリ（５２０）における異なるブロックにユーザコード記憶領域（Ｃ）と製造情報記憶領域（Ｄ）とを配置して、独立に更新できるようにすることで、意図しないデータ領域の破壊を防ぐことができる。これによって、フラッシュメモリ（４２０）のデータ領域（Ｃ）、（Ｄ）とは異なるブロックに製造元コード記憶領域（Ｅ）を配置することも可能である。
【産業上の利用可能性】
【００４１】
本発明のメモリカードは、業務用カメラシステム等で使用されるメモリカード等に有用であって、前述のカメラシステムで記録された映像等を取り扱う編集器等に応用される。
【図面の簡単な説明】
【００４２】
【図１】本発明に関わるメモリカードおよびホスト機器の構成図
【図２】従来のメモリカード及びホスト機器の構成図
【図３】ユーザＩＤ記憶領域と通常のデータ領域を示す図
【図４】ユーザＩＤ記憶領域、ユーザコード記憶領域、製造情報記憶領域をライトする際に入力するデータのデータ構造を示す図
【図５】メモリカードの形態を物理的に示す図
【符号の説明】
【００４３】
１００，２００  メモリカード
１１０，２１０  インターフェース
１２０，２２０  制御部
１２１，２２１  コマンド解析部
１２２  領域判定部
１２３  書き込み保護部
１２４  アクセス制御部
１２５  製造元コード記憶部
１３０，２３０  メモリ
１３１，２３１  ＳＤカード
１４０，２４０  フラッシュメモリ
１４１，２４１  製造情報記憶部
１４２  ユーザコード記憶部
１５０，２５０  ホスト機器
１６０，２６０  ドライバ部
１７０，２７０  アプリケーション部
１７１，２７１  データ制御部
１７２，２７２  データ管理アクセス部
１７３，２７３  データアクセス部
１７４，２７４  ユーザＩＤ制御部
１７５，２７５  カード情報制御部
１７６  ユーザコード制御部
１８０，２８０  表示装置
５００  メモリカード
５１０  ＬＳＩ
５２０  フラッシュメモリ
５３０  コネクタ
５４０  ＳＤカード
５５０  ＰＣＭＣＩＡ形状コネクタ
【図１】
2005352726.tif 000003
【図２】
2005352726.tif 000004
【図３】
2005352726.tif 000005
【図４】
2005352726.tif 000006
【図５】
2005352726.tif 000007